(57)【要約】【課題】画像信号線１０６に画像信号ｄを供給する制御回路４０の負荷を抑制する。【解決手段】所定の本数毎に複数のブロックＢに分けられた複数のデータ線１０４に対応して配置される複数の画素回路Ｐと、各ブロックＢを単位期間Ｔごとに順次選択する選択回路５０と、ブロックＢを構成するデータ線１０４の各々に対応して設けられ、第１のブロック群ＢＬ１に対応する第１部分１０８と第２のブロック群ＢＬ２に対応する第２部分１１０とを各々が有する複数の画像信号線１０６と、複数の画像信号線１０６の各々に対応して設けられて当該画像信号線１０６の第１部分１０８と第２部分１１０との間に介在するバッファ回路１１２と、各データ線１０４に対応して設けられるとともに、選択されたブロックＢに属するデータ線１０４に対して、画像信号線１０６に供給された画像信号ｄをサンプリングするサンプリングスイッチと、を具備する。【選択図】      図１
2009222745.tif 000002
【特許請求の範囲】
【請求項１】
所定の本数毎に複数のブロックに分けられた複数のデータ線と、
前記複数のデータ線に対応して配置される複数の電気光学素子と、
前記複数のブロックを単位期間ごとに順次選択する選択手段と、
前記ブロックを構成する前記データ線の各々に対応して設けられ、前記複数のブロックのうち第１のブロック群に対応する第１部分と第２のブロック群に対応する第２部分とを各々が有する複数の画像信号線と、
前記複数の画像信号線の各々に対応して設けられて当該画像信号線の前記第１部分と前記第２部分との間に介在するバッファ回路と、
前記複数のデータ線の各々に対応して設けられるとともに、前記選択手段によって選択された前記ブロックに属する前記データ線に対して、前記画像信号線に供給された画像信号をサンプリングするサンプリングスイッチと、を具備する
電気光学装置。
【請求項２】
前記バッファ回路は、
複数の前記単位期間のうちの各第１単位期間において、前記第１部分から供給される前記画像信号を第１保持手段に保持させるとともに第２保持手段に保持されている前記画像信号を前記第２部分へ出力し、
相前後する前記各第１単位期間の間の各第２単位期間において、前記第１保持手段に保持されている前記画像信号を前記第２部分へ出力するとともに前記第１部分から供給される前記画像信号を前記第２保持手段に保持させる
請求項１の電気光学装置。
【請求項３】
前記選択手段は、前記第１のブロック群の各ブロックの選択を完了した時点から前記単位期間の時間長が経過した時点で、前記第２のブロック群の各ブロックの選択を開始する
請求項２の電気光学装置。
【請求項４】
前記第１のブロック群の各ブロックの選択が開始される前において、前記第２のブロック群のうちの最初の前記ブロックに対応する前記画像信号である第１の画像信号が前記第１部分を介して前記バッファ回路に供給され、
前記第１のブロック群の各ブロックの選択が行われている期間においては、前記第１の画像信号が前記バッファ回路から前記第２部分へ出力され続け、
前記第１のブロック群の各ブロックの選択が完了すると、前記第２のブロック群の各ブロックの選択が開始され、
前記第１のブロック群の各ブロックの選択が完了した直後の前記単位期間においては、前記第２のブロック群のうちの最初の前記ブロックの選択が行われ、前記第１の画像信号が前記バッファ回路から前記第２部分へ出力されるとともに前記第２のブロック群のうちの次の前記ブロックに対応する前記画像信号が前記第１部分を介して前記バッファ回路に供給される
請求項２の電気光学装置。
【請求項５】
所定の本数毎に複数のブロックに分けられた複数のデータ線と、
前記複数のデータ線に対応して配置される複数の電気光学素子と、
前記複数のブロックを単位期間ごとに順次選択する選択手段と、
前記ブロックを構成する前記データ線と同数の画像信号線と、
複数の前記画像信号線の各々に接続された第１のバッファ回路および第２のバッファ回路と、
前記第１のバッファ回路の出力側に接続された第１信号線と、
前記第２のバッファ回路の出力側に接続された第２信号線と、
前記複数のデータ線の各々に対応して設けられるとともに、前記選択手段によって選択された前記ブロックに属する前記データ線に対して、前記画像信号線に供給された画像信号をサンプリングするサンプリングスイッチと、を具備し、
前記複数のブロックは、第１のブロック群と第２のブロック群とから構成され、
前記第１のブロック群は前記第１の信号線に対応し、前記第２のブロック群は前記第２の信号線に対応する
電気光学装置。
【請求項６】
前記選択手段は、第１選択期間において前記第１のブロック群の各ブロックを選択し、第２選択期間において前記第２のブロック群の各ブロックを選択し、
前記第１選択期間内においては、前記第２のバッファ回路に対する前記画像信号の供給が遮断される
請求項５の電気光学装置。
【請求項７】
前記第１選択期間が開始される時点よりも前記単位期間の時間長だけ前の第１時点から、前記第１選択期間が終了する時点よりも前記単位期間の時間長だけ前の第２時点までは前記第２のバッファ回路に対する前記画像信号の供給が遮断され、
前記第１選択期間のうちの各第３単位期間において、前記第１のバッファ回路は、前記第１信号線に供給される前記画像信号を第３保持手段に保持させるとともに第４保持手段に保持されている前記画像信号を出力し、
前記第１選択期間内における期間であって相前後する前記各第３単位期間の間の各第４単位期間において、前記第１のバッファ回路は、前記第３保持手段に保持されている前記画像信号を出力するとともに前記第１信号線に供給される前記画像信号を前記第４保持手段に保持させ、
前記第２時点から、前記第２のバッファ回路に対する前記画像信号の供給が開始され、
前記第２選択期間のうちの各第５単位期間において、前記第２のバッファ回路は、前記第２信号線に供給される前記画像信号を第５保持手段に保持させるとともに第６の保持手段に保持されている前記画像信号を出力し、
前記第２選択期間内における期間であって相前後する前記各第５単位期間の間の各第６単位期間において、前記第２のバッファ回路は、前記第５保持手段に保持されている前記画像信号を出力するとともに前記第２信号線に供給される前記画像信号を前記第６保持手段に保持させる
請求項６の電気光学装置。
【請求項８】
前記複数のデータ線と交差する複数の走査線と、
水平走査期間ごとに、前記複数の走査線の各々を順次選択する走査線駆動回路と、
前記複数のデータ線の各々に対応する前記サンプリングスイッチから当該データ線に対応する前記電気光学素子に至る経路上に設けられた第３のバッファ回路と、を更に具備し、
一の前記水平走査期間においては、前記選択手段によって前記複数のブロックが順次選択され、
複数の前記水平走査期間のうち偶数番目の各水平走査期間において、前記第３のバッファ回路は、対応する前記データ線から供給される前記画像信号を第７保持手段に保持させるとともに第８保持手段に保持されている前記画像信号を対応する前記電気光学素子へ出力し、
複数の前記水平走査期間のうち奇数番目の各水平走査期間において、前記第３のバッファ回路は、前記第７保持手段に保持されている前記画像信号を対応する前記電気光学素子へ出力するとともに対応する前記データ線から供給される前記画像信号を前記第８保持手段に保持させる
請求項１から請求項７の何れかの電気光学装置。
【請求項９】
請求項１から請求項８の何れかの電気光学装置を具備する電子機器。
【請求項１０】
所定の本数毎に複数のブロックに分けられた複数のデータ線と、前記複数のデータ線に対応して配置される複数の電気光学素子と、前記複数のブロックを単位期間ごとに順次選択する選択手段と、前記ブロックを構成する前記データ線の各々に対応して設けられ、前記複数のブロックのうち第１のブロック群に対応する第１部分と第２のブロック群に対応する第２部分とを各々が有する複数の画像信号線と、前記複数の画像信号線の各々に対応して設けられて当該画像信号線の前記第１部分と前記第２部分との間に介在されたバッファ回路と、前記複数のデータ線の各々に対応して設けられるとともに、前記選択手段によって選択された前記ブロックに属する前記データ線に対して、前記画像信号線に供給された画像信号をサンプリングするサンプリングスイッチと、を具備する電気光学装置の駆動方法であって、
複数の前記単位期間のうちの各第１単位期間において、前記バッファ回路は、前記第１部分から供給される前記画像信号を第１保持手段に保持するとともに第２保持手段に保持している前記画像信号を前記第２部分へ出力し、
相前後する前記各第１単位期間の間の各第２単位期間において、前記バッファ回路は、前記第１保持手段に保持している前記画像信号を前記第２部分へ出力するとともに前記第１部分から供給される前記画像信号を前記第２保持手段に保持する
電気光学装置の駆動方法。
【請求項１１】
前記第１のブロック群の各ブロックの選択を完了した時点から前記単位期間の時間長が経過した時点で、前記第２のブロック群の各ブロックの選択を開始する
請求項１０の電気光学装置の駆動方法。
【請求項１２】
前記第１のブロック群の各ブロックの選択が開始される前において、前記第２のブロック群のうちの最初の前記ブロックに対応する前記画像信号である第１の画像信号を前記第１部分を介して前記バッファ回路に供給し、
前記第１のブロック群の各ブロックの選択が行われている期間においては、前記第１の画像信号を前記第２部分へ出力し続け、
前記第１のブロック群の各ブロックの選択が完了すると、前記第２のブロック群の各ブロックの選択を開始し、
前記第１のブロック群の各ブロックの選択が完了した直後の前記単位期間においては、前記第２のブロック群のうちの最初の前記ブロックの選択を行い、前記第１の画像信号を前記第２部分へ出力するとともに前記第２のブロック群のうちの次の前記ブロックに対応する前記画像信号を前記第１部分を介して前記バッファ回路に供給する
請求項１０の電気光学装置の駆動方法。
【請求項１３】
所定の本数毎に複数のブロックに分けられた複数のデータ線と、前記複数のデータ線に対応して配置される複数の電気光学素子と、前記複数のブロックを単位期間ごとに順次選択する選択手段と、前記ブロックを構成する前記データ線と同数の画像信号線と、複数の前記画像信号線の各々に接続される第１のバッファ回路および第２のバッファ回路と、前記第１のバッファ回路の出力側に接続された第１の信号線と、前記第２のバッファ回路の出力側に接続された第２の信号線と、前記複数のデータ線の各々に対応して設けられるとともに、前記選択手段によって選択された前記ブロックに属する前記データ線に対して、前記画像信号線に供給された画像信号をサンプリングするサンプリングスイッチと、を具備した電気光学装置の駆動方法であって、
第１選択期間において前記第１のブロック群の各ブロックを選択し、第２選択期間において前記第２のブロック群の各ブロックを選択し、
前記第１選択期間内においては、前記第２のバッファ回路に対する前記画像信号の供給を遮断する
電気光学装置の駆動方法。
【請求項１４】
前記第１選択期間が開始される時点よりも前記単位期間の時間長だけ前の第１時点から、前記第１選択期間が終了する時点よりも前記単位期間の時間長だけ前の第２時点までは前記第２のバッファ回路に対する前記画像信号の供給を遮断し、
前記第１選択期間のうちの各第３単位期間において、前記第１のバッファ回路は、前記第１信号線に供給される前記画像信号を第３保持手段に保持するとともに第４保持手段に保持している前記画像信号を出力し、
前記第１選択期間内における期間であって相前後する前記各第３単位期間の間の各第４単位期間において、前記第１のバッファ回路は、前記第３保持手段に保持している前記画像信号を出力するとともに前記第１信号線に供給される前記画像信号を前記第４保持手段に保持し、
前記第２時点から、前記第２のバッファ回路に対する前記画像信号の供給を開始し、
前記第２選択期間のうちの各第５単位期間において、前記第２のバッファ回路は、前記第２信号線に供給される前記画像信号を第５保持手段に保持するとともに第６の保持手段に保持している前記画像信号を出力し、
前記第２選択期間内における期間であって相前後する前記各第５単位期間の間の各第６単位期間において、前記第２のバッファ回路は、前記第５保持手段に保持している前記画像信号を出力するとともに前記第２信号線に供給される前記画像信号を前記第６保持手段に保持する
請求項１３の電気光学装置の駆動方法。
【請求項１５】
前記複数のデータ線と交差する複数の走査線と、水平走査期間ごとに、前記複数の走査線の各々を順次選択する走査線駆動回路と、前記複数のデータ線の各々に対応する前記サンプリングスイッチから当該データ線に対応する前記電気光学素子に至る経路上に設けられた第３のバッファ回路と、を更に具備し、
一の前記水平走査期間においては、前記複数のブロックを順次選択し、
複数の前記水平走査期間のうち偶数番目の各水平走査期間において、前記第３のバッファ回路は、対応する前記データ線から供給される前記画像信号を第７保持手段に保持するとともに第８保持手段に保持している前記画像信号を対応する前記電気光学素子へ出力し、
複数の前記水平走査期間のうち奇数番目の各水平走査期間において、前記第３のバッファ回路は、前記第７保持手段に保持している前記画像信号を対応する前記電気光学素子へ出力するとともに対応する前記データ線から供給される前記画像信号を前記第８保持手段に保持する
請求項１０から請求項１４の何れかの電気光学装置の駆動方法。
【発明の詳細な説明】
【技術分野】
【０００１】
本発明は、電気光学素子を用いた電気光学装置、その駆動方法および電子機器に関する。
【背景技術】
【０００２】
従来、液晶などの電気光学素子を用いた電気光学装置が各種提案されている。例えば、複数の電気光学素子が、複数の走査線と複数のデータ線との交差に対応してマトリクス状に配置される表示装置においては、１本の走査線が選択される期間（１水平走査期間）において１本ずつデータ線を順番に選択して、選択したデータ線に画像信号を供給する点順次方式で駆動するのが一般的である。
【０００３】
一方、最近では、ハイビジョンなどのように表示画像の高精細化が進行している。高精細化は、走査線の本数およびデータ線の本数を増加させることによって達成することができるが、走査線本数の増加によって１水平走査期間が短縮し、さらに、点順次方式では、データ線本数の増加によって、データ線の選択期間も短縮する。このため、点順次方式では、高精細化が進行するにつれてデータ線に画像信号を供給する時間を充分に確保できなくなって、画素への書き込みが不十分となり始めた。
【０００４】
そこで、書き込みが不十分となる点を解消する目的で、相展開駆動という方式が考え出された（特許文献１参照）。特許文献１においては、複数のデータ線を予め定められた本数ごとの複数のブロックに区分するとともに、ブロックを構成するデータ線の各々に対応する複数の画像信号線を設けている。１水平走査期間においては、複数のブロックが順次選択され、選択されたブロックに属するデータ線の各々に対して、当該データ線に対応する画像信号線から画像信号が供給される。この相展開駆動方式では、ひとつのブロックに属する複数のデータ線に対して並列に画像信号が供給されるから、１本のデータ線に画像信号を供給する時間を点順次方式よりも長く確保できるので、高精細化に適しているという利点がある。
【特許文献１】特開平８―２２７０６５号公報
【発明の開示】
【発明が解決しようとする課題】
【０００５】
特許文献１の構成においては、画像信号線は、複数の電気光学素子がマトリクス状に配列された画素アレイ部の周縁に沿って延びている。画素アレイ部の面積が増大して画像信号線が長くなると、画像信号線に画像信号を供給する供給用回路の負荷が増大してしまうという問題があった。
以上の事情に鑑みて、本発明は、画像信号線に画像信号を供給する回路の負荷を抑制するという課題の解決を目的としている。
【課題を解決するための手段】
【０００６】
以上の課題を解決するために、本発明に係る電気光学装置は、所定の本数毎に複数のブロックに分けられた複数のデータ線と、前記複数のデータ線に対応して配置される複数の電気光学素子と、複数のブロックを単位期間ごとに順次選択する（各単位期間のうちブロックが選択されない単位期間がある態様も含む）選択手段と、ブロックを構成するデータ線の各々に対応して設けられ、複数のブロックのうち第１のブロック群に対応する第１部分と第２のブロック群に対応する第２部分とを各々が有する複数の画像信号線と、複数の画像信号線の各々に対応して設けられて当該画像信号線の第１部分と第２部分との間に介在するバッファ回路と、複数のデータ線の各々に対応して設けられるとともに、選択手段によって選択されたブロックに属するデータ線に対して、画像信号線に供給された画像信号をサンプリングするサンプリングスイッチと、を具備する。
【０００７】
この態様によれば、複数の画像信号線の各々において、当該画像信号線の第１部分と第２部分との間にバッファ回路が介在するから、画像信号線が長い場合でも、画像信号線に対して画像信号を供給する回路の負荷が増大することを抑制できる。
【０００８】
本発明に係る電気光学装置の好適な態様において、バッファ回路は、複数の単位期間のうちの各第１単位期間において、第１部分から供給される画像信号を第１保持手段に保持させるとともに第２保持手段に保持されている画像信号を第２部分へ出力し、相前後する各第１単位期間の間の各第２単位期間において、第１保持手段に保持されている画像信号を第２部分へ出力するとともに第１部分から供給される画像信号を第２保持手段に保持させる。この態様によれば、バッファ回路は、第１部分から供給される画像信号を第１保持手段および第２保持手段に保持させる時間を十分に確保できる。
【０００９】
また、第１単位期間と第２単位期間とで画像信号を保持する保持手段を切り替えるバッファ回路を具備する態様の好適な例としては、選択手段は、第１のブロック群の各ブロックの選択を完了した時点から単位期間の時間長が経過した時点で第２のブロック群の各ブロックの選択を開始する。この態様によれば、選択手段は、第１のブロック群の各ブロックの選択を完了した時点から単位期間の時間長が経過した時点で第２のブロック群の各ブロックの選択を開始するから、第１のブロック群のうちの最後に選択すべきブロックに対応する画像信号が２列にわたって出力されることを防止できる。
【００１０】
また、第１単位期間と第２単位期間とで画像信号を保持する保持手段を切り替えるバッファ回路を具備する態様の好適な例としては、第１のブロック群の各ブロックの選択が開始される前において、第２のブロック群のうちの最初のブロックに対応する画像信号である第１の画像信号が第１部分を介してバッファ回路に供給され、第１のブロック群の各ブロックの選択が行われている期間においては、第１の画像信号がバッファ回路から第２部分へ出力され続け、第１のブロック群の各ブロックの選択が完了すると、第２のブロック群の各ブロックの選択が開始され、第１のブロック群の各ブロックの選択が完了した直後の単位期間においては、第２のブロック群のうちの最初のブロックの選択が行われ、第１の画像信号がバッファ回路から第２部分へ出力されるとともに第２のブロック群のうちの次のブロックに対応する画像信号が第１部分を介してバッファ回路に供給される。
【００１１】
この態様によれば、第１のブロック群の各ブロックの選択が開始される前において、第２のブロック群のうちの最初に選択すべきブロックに対応する第１の画像信号がバッファ回路に保持され、第１のブロック群の各ブロックの選択が完了した直後の単位期間においては、第２のブロック群のうちの最初のブロックの選択が行われるとともに、第１の画像信号がバッファ回路から第２部分へ出力される。従って、選択手段は、１水平走査期間内の各単位期間においてブロックの選択を順番通りに行うことができる。このため、選択手段が簡単に制御されるという利点がある。
【００１２】
また、本発明に係る電気光学装置は、所定の本数毎に複数のブロックに分けられた複数のデータ線と、前記複数のデータ線に対応して配置される複数の電気光学素子と、複数のブロックを単位期間ごとに順次選択する選択手段と、ブロックを構成するデータ線と同数の画像信号線と、複数の画像信号線の各々に接続された第１のバッファ回路および第２のバッファ回路と、第１のバッファ回路の出力側に接続された第１信号線と、第２のバッファ回路の出力側に接続された第２信号線と、複数のデータ線の各々に対応して設けられるとともに、選択手段によって選択されたブロックに属するデータ線に対して、画像信号線に供給された画像信号をサンプリングするサンプリングスイッチと、を具備し、複数のブロックは、第１のブロック群と第２のブロック群とから構成され、第１のブロック群は第１の信号線に対応し、第２のブロック群は前記第２の信号線に対応する。
【００１３】
この態様によれば、複数の画像信号線の各々には第１のバッファ回路および第２のバッファ回路が接続され、第１のバッファ回路の出力側に接続された第１信号線には第１のブロック群が対応し、第２のバッファ回路の出力側に接続された第２信号線には第２のブロック群が対応するから、各画像信号線における第１信号線および第２信号線に供給される画像信号の波形の鈍りを抑制できる。
【００１４】
本発明に係る電気光学装置の好適な態様において、選択手段は、第１選択期間において前記第１のブロック群の各ブロックを選択し、第２選択期間において前記第２のブロック群の各ブロックを選択し、第１選択期間内においては、第２のバッファ回路に対する画像信号の供給が遮断される（第１選択期間内における各単位期間のうち第２のバッファ回路に対して画像信号が供給される単位期間がある態様も含む）。この態様によれば、第１選択期間内においては、第２のバッファ回路に対する画像信号の供給が遮断されるから、第１のブロック群に属するブロックに対応する画像信号が第２信号線に対して供給されることはない。従って、第２信号線の負荷を軽減できる。
【００１５】
より具体的には、前記第１選択期間が開始される時点よりも前記単位期間の時間長だけ前の第１時点から、第１選択期間が終了する時点よりも単位期間の時間長だけ前の第２時点までは第２のバッファ回路に対する画像信号の供給が遮断され、第１選択期間のうちの各第３単位期間において、第１のバッファ回路は、第１信号線に供給される画像信号を第３保持手段に保持させるとともに第４保持手段に保持されている画像信号を出力し、第１選択期間内における期間であって相前後する各第３単位期間の間の各第４単位期間において、第１のバッファ回路は、第３保持手段に保持されている画像信号を出力するとともに第１信号線に供給される画像信号を第４保持手段に保持させ、第２時点から、第２のバッファ回路に対する画像信号の供給が開始され、第２選択期間のうちの各第５単位期間において、第２のバッファ回路は、第２信号線に供給される画像信号を第５保持手段に保持させるとともに第６の保持手段に保持されている画像信号を出力し、第２選択期間内における期間であって相前後する各第５単位期間の間の各第６単位期間において、第２のバッファ回路は、第５保持手段に保持されている画像信号を出力するとともに第２信号線に供給される画像信号を第６保持手段に保持させる。
【００１６】
本発明に係る電気光学装置の好適な態様において、複数のデータ線と交差する複数の走査線と、水平走査期間ごとに、複数の走査線の各々を順次選択する走査線駆動回路と、複数のデータ線の各々に対応するサンプリングスイッチから当該データ線に対応する電気光学素子に至る経路上に設けられた第３のバッファ回路と、を更に具備し、一の水平走査期間においては、選択手段によって複数のブロックが順次選択され、複数の水平走査期間のうち偶数番目の各水平走査期間において、第３のバッファ回路は、対応するデータ線から供給される画像信号を第７保持手段に保持させるとともに第８保持手段に保持されている画像信号を対応する電気光学素子へ出力し、複数の水平走査期間のうち奇数番目の各水平走査期間において、第３のバッファ回路は、第７保持手段に保持されている画像信号を対応する電気光学素子へ出力するとともに対応するデータ線から供給される画像信号を第８保持手段に保持させる。この態様によれば、各データ線ごとに第３のバッファ回路が設けられるから、各々のデータ線に供給される画像信号の波形の鈍りを抑制できる。従って、画像信号を供給する回路の負荷を軽減できるという利点がある。また、この態様によれば、各水平走査期間ごとに、当該水平走査期間の直前の水平走査期間に画像信号線に供給された各画像信号が、当該水平走査期間において各電気光学素子に一斉に供給され続けるから、各電気光学素子に対する画像信号の供給時間を十分に確保できるという利点もある。
【００１７】
また、本発明に係る電気光学装置は各種の電子機器に利用される。この電子機器の典型例は、電気光学装置を表示装置として利用した機器である。この種の機器としては、パーソナルコンピュータや携帯電話機などがある。もっとも、本発明に係る電気光学装置の用途は画像の表示に限定されない。例えば、光線の照射によって感光体ドラムなどの像担持体に潜像を形成する構成の画像形成装置（印刷装置）においては、像担持体を露光する手段（いわゆる露光ヘッド）として本発明の電気光学装置を採用することもできる。
【００１８】
次に、本発明に係る電気光学装置の駆動方法は、所定の本数毎に複数のブロックに分けられた複数のデータ線と、前記複数のデータ線に対応して配置される複数の電気光学素子と、複数のブロックを単位期間ごとに順次選択する選択手段と、ブロックを構成するデータ線の各々に対応して設けられ、複数のブロックのうち第１のブロック群に対応する第１部分と第２のブロック群に対応する第２部分とを各々が有する複数の画像信号線と、複数の画像信号線の各々に対応して設けられて当該画像信号線の第１部分と第２部分との間に介在されたバッファ回路と、複数のデータ線の各々に対応して設けられるとともに、選択手段によって選択されたブロックに属するデータ線に対して、画像信号線に供給された画像信号をサンプリングするサンプリングスイッチと、を具備する電気光学装置の駆動方法であって、複数の単位期間のうちの各第１単位期間において、バッファ回路は、第１部分から供給される画像信号を第１保持手段に保持するとともに第２保持手段に保持している画像信号を第２部分へ出力し、相前後する各第１単位期間の間の各第２単位期間において、バッファ回路は、第１保持手段に保持している画像信号を第２部分へ出力するとともに第１部分から供給される画像信号を第２保持手段に保持する。
【００１９】
本発明に係る電気光学装置の駆動方法の好適な態様において、第１のブロック群の各ブロックの選択を完了した時点から単位期間の時間長が経過した時点で、第２のブロック群の各ブロックの選択を開始する。
【００２０】
本発明に係る電気光学装置の駆動方法の好適な態様において、第１のブロック群の各ブロックの選択が開始される前において、第２のブロック群のうちの最初のブロックに対応する画像信号である第１の画像信号を第１部分を介してバッファ回路に供給し、第１のブロック群の各ブロックの選択が行われている期間においては、第１の画像信号を第２部分へ出力し続け、第１のブロック群の各ブロックの選択が完了すると、第２のブロック群の各ブロックの選択を開始し、第１のブロック群の各ブロックの選択が完了した直後の単位期間においては、第２のブロック群のうちの最初のブロックの選択を行い、第１の画像信号を第２部分へ出力するとともに第２のブロック群のうちの次の前記ブロックに対応する画像信号を第１部分を介してバッファ回路に供給する。
【００２１】
また、本発明に係る電気光学装置の駆動方法は、所定の本数毎に複数のブロックに分けられた複数のデータ線と、前記複数のデータ線に対応して配置される複数の電気光学素子と、前記複数のブロックを単位期間ごとに順次選択する選択手段と、前記ブロックを構成する前記データ線と同数の画像信号線と、複数の前記画像信号線の各々に接続される第１のバッファ回路および第２のバッファ回路と、前記第１のバッファ回路の出力側に接続された第１の信号線と、前記第２のバッファ回路の出力側に接続された第２の信号線と、前記複数のデータ線の各々に対応して設けられるとともに、前記選択手段によって選択された前記ブロックに属する前記データ線に対して、前記画像信号線に供給された画像信号をサンプリングするサンプリングスイッチと、を具備した電気光学装置の駆動方法であって、第１選択期間において第１のブロック群の各ブロックを選択し、第２選択期間において第２のブロック群の各ブロックを選択し、第１選択期間内においては、第２のバッファ回路に対する画像信号の供給を遮断する。
【００２２】
本発明に係る電気光学装置の駆動方法の好適な態様において、前記第１選択期間が開始される時点よりも前記単位期間の時間長だけ前の第１時点から、第１選択期間が終了する時点よりも単位期間の時間長だけ前の第２時点までは第２のバッファ回路に対する画像信号の供給を遮断し、第１選択期間のうちの各第３単位期間において、第１のバッファ回路は、第１信号線に供給される画像信号を第３保持手段に保持するとともに第４保持手段に保持している画像信号を出力し、第１選択期間内における期間であって相前後する各第３単位期間の間の各第４単位期間において、第１のバッファ回路は、第３保持手段に保持している画像信号を出力するとともに第１信号線に供給される画像信号を第４保持手段に保持し、第２時点から、第２のバッファ回路に対する画像信号の供給を開始し、第２選択期間のうちの各第５単位期間において、第２のバッファ回路は、第２信号線に供給される画像信号を第５保持手段に保持するとともに第６の保持手段に保持している画像信号を出力し、第２選択期間内における期間であって相前後する各第５単位期間の間の各第６単位期間において、第２のバッファ回路は、第５保持手段に保持している画像信号を出力するとともに第２信号線に供給される画像信号を第６保持手段に保持する。
【００２３】
本発明に係る電気光学装置の駆動方法の好適な態様において、複数のデータ線と交差する複数の走査線と、水平走査期間ごとに、複数の走査線の各々を順次選択する走査線駆動回路と、複数のデータ線の各々に対応する前記サンプリングスイッチから当該データ線に対応する電気光学素子に至る経路上に設けられた第３のバッファ回路と、を更に具備し、
一の水平走査期間においては、複数のブロックを順次選択し、複数の水平走査期間のうち偶数番目の各水平走査期間において、第３のバッファ回路は、対応するデータ線から供給される画像信号を第７保持手段に保持するとともに第８保持手段に保持している画像信号を対応する電気光学素子へ出力し、複数の水平走査期間のうち奇数番目の各水平走査期間において、第３のバッファ回路は、第７保持手段に保持している画像信号を対応する電気光学素子へ出力するとともに対応するデータ線から供給される画像信号を第８保持手段に保持する。
【発明を実施するための最良の形態】
【００２４】
＜Ａ：第１実施形態＞
図１は、本実施形態に係る電気光学装置１０の構成を示すブロック図である。この電気光学装置１０は、画像を表示するための手段として各種の電子機器に採用される装置であり、複数の画素回路Ｐが面状に配列された画素アレイ部１００と、各画素回路Ｐを駆動する走査線駆動回路２０およびデータ線駆動回路３０と、制御回路４０とを有する。なお、図１においては、走査線駆動回路２０とデータ線駆動回路３０と制御回路４０とが別個の回路として図示されているが、これらの回路の一部または全部が単一の回路とされた構成も採用される。
【００２５】
図１に示すように、画素アレイ部１００には、Ｘ方向に延在するｍ本の走査線１０２と、Ｘ方向に直交しＹ方向に延在する３ｎ本のデータ線１０４とが設けられる（ｍおよびｎは自然数）。各画素回路Ｐは、走査線１０２とデータ線１０４との交差に対応する位置に配置される。従って、これらの画素回路Ｐは縦ｍ行×横３ｎ列のマトリクス状に配列する。各画素回路Ｐは、間隔をあけて対向する画素電極および対向電極と両者間の液晶とで構成される液晶素子を含む。
【００２６】
走査線駆動回路２０は、複数の画素回路Ｐを水平走査期間ごとに行単位で選択するための回路である。走査線駆動回路２０は、順次アクティブとなる走査信号Ｇ１〜Ｇｍをｍ本の走査線１０２の各々に出力する。第ｉ行（ｉは１≦ｉ≦ｍを満たす整数）の走査線１０２に出力される走査信号Ｇｉのアクティブレベルへの遷移は、第ｉ行の選択を意味する。走査信号Ｇｉは、１フレーム期間内の第ｉ番目の水平走査期間にてアクティブレベルに設定され、それ以外の期間においては非アクティブレベルに設定される。
【００２７】
本実施形態においては、３ｎ本のデータ線１０４は３本毎にブロック化されている。説明の便宜上、左から数えて１、２、・・・、ｎ番目のブロックを、それぞれＢ１、Ｂ２、・・・、Ｂｎと表記する。また、図１に示すように、左から数えて１番目のブロックＢ１からｋ番目（ｋは１≦ｉ＜ｎを満たす整数）のブロックＢｋまでのブロック群を第１のブロック群ＢＬ１と表記し、ｋ＋１番目のブロックＢｋ＋１からｎ番目のブロックＢｎまでのブロック群を第２のブロック群ＢＬ２と表記する。
【００２８】
データ線駆動回路３０は、走査線駆動回路２０が選択した走査線１０２に対応する１行分の３ｎ個の画素回路Ｐの各々に対応する画像信号ｄを各データ線１０４に出力する手段である。図１に示すように、データ線駆動回路３０は、選択回路５０と、３ｎ本のデータ線１０４の各々に設けられた３ｎ個のサンプリングスイッチＳと、各ブロックＢを構成するデータ線１０４の各々に対応してＸ方向に延びる３本の画像信号線１０６ａ〜１０６ｃと、を含む。
【００２９】
図１に示すように、３本の画像信号線１０６の各々は、第１のブロック群ＢＬ１に対応する第１部分１０８と、第２のブロック群ＢＬ２に対応する第２部分１１０とを有する。第１部分１０８および第２部分１１０はＸ方向に沿って直線的に配列され、第１部分１０８と第２部分１１０との間には画像信号の波形を整形するためのバッファ回路１１２が介在する。ｎ個のブロックＢの各々において、左から数えて１列目のデータ線１０４は、サンプリングスイッチＳを介して画像信号線１０６ａに接続される。また、左から数えて２列目のデータ線１０４は、サンプリングスイッチＳを介して画像信号線１０６ｂに接続される。さらに、左から数えて３列目のデータ線１０４は、サンプリングスイッチＳを介して画像信号線１０６ｃに接続される。
【００３０】
制御回路４０は、各画素回路Ｐの階調を時分割で指定する１系統の画像信号ｄをひとつのブロックＢ内のデータ線１０４の本数に相当する３系統の画像信号ｄ１〜ｄ３に相展開して各々を画像信号線１０６ａ〜１０６ｃにおける第１部分１０８に並列に供給する。画像信号線１０６ａにおける第１部分１０８には画像信号ｄ１を供給し、画像信号線１０６ｂにおける第１部分１０８には画像信号ｄ２を供給し、画像信号線１０６ｃにおける第１部分１０８には画像信号ｄ３を供給するという具合である。
【００３１】
図１に示す選択回路５０は、１水平走査期間内の各単位期間ごとに、ｎ個のブロックＢを順次選択する手段である（例えばｎ段のシフトレジスタ）。選択回路５０は、順次アクティブとなる選択信号ＳＥＬ（１）〜ＳＥＬ（ｎ）を対応する各ブロックＢにおけるサンプリングスイッチＳへ供給する。図１に示すように、ブロックＢ１における３個のサンプリングスイッチＳ１には選択信号ＳＥＬ（１）が供給され、ブロックＢ２における３個のサンプリングスイッチＳ２には選択信号ＳＥＬ（２）が供給されるという具合である。ここで、第ｊ番目（ｊは１≦ｊ≦ｎを満たす整数）のブロックＢｊにおける３個のサンプリングスイッチＳｊに供給される選択信号ＳＥＬ（ｊ）のアクティブ状態への遷移は、第ｊ番目のブロックＢｊの選択を意味する。第ｊ番目のブロックＢｊが選択されると、ブロックＢｊにおける３個のサンプリングスイッチＳは一斉にオン状態になる。これによって、走査線駆動回路２０によって選択された一の走査線１０２に接続された３ｎ個の画素回路ＰのうちブロックＢｊの３本のデータ線１０４の各々に接続された３個の画素回路Ｐへ対応する画像信号ｄ１〜ｄ３が同時に供給される。
【００３２】
図２は、図１の構成を簡略化して示すブロック図である。図２においては、３本の画像信号線１０６のうち画像信号ｄ１が供給される画像信号線１０６ａのみを示している。説明の便宜上、画像信号線１０６ａに接続されるｎ本のデータ線１０４のうち、ブロックＢ１に対応するデータ線１０４をｂ１、ブロックＢ２に対応するデータ線１０４をｂ２、・・・、ブロックＢｎに対応するデータ線１０４をｂｎと表記する。図２に示すように、画像信号線１０６ａの第１部分１０８には、第１ブロック群ＢＬ１の各ブロックＢに対応するデータ線ｂ１〜ｂｋが接続される一方、第２部分１１０には、第２のブロック群ＢＬ２の各ブロックＢに対応するデータ線ｂｋ＋１〜ｂｎが接続される。他の画像信号線１０６ｂおよび１０６ｃも同様の構成であり、説明の便宜上、以下においては図２の構成に基づいて説明を行う。
【００３３】
図３は、バッファ回路１１２の詳細な構成を示す回路図である。図３に示すように、バッファ回路１１２は、第１保持部１１４と第２保持部１１６とバッファ部ＢＦとを含む。第１保持部１１４は、第１スイッチＸ１および第２スイッチＸ２と、第１容量素子Ｃ１と、画像信号ｄ１を補正するための第１補正回路Ｒ１とで構成される。第１スイッチＸ１は、画像信号線１０６ａの第１部分１０８と接続点Ｐ１との間に介在して両者の電気的な接続（導通および非導通）を制御する。第１容量素子Ｃ１は、接続点Ｐ１と接地線（または他の定電位線）との間に介挿される。第１補正回路Ｒ１は、接続点Ｐ１から第２スイッチＸ２の入力に至る経路上の点Ｑ１に接続される。第２スイッチＸ２は、Ｑ１とバッファ部ＢＦの入力端との間に介在して両者の電気的な接続を制御する。バッファ部ＢＦの出力端は、画像信号線１０６ａにおける第２部分１１０に接続される。本実施形態においては、第１保持部１１４からの画像信号出力を「出力Ａ」と表記する。
【００３４】
第２保持部１１６は、第３スイッチＸ３および第４スイッチＸ４と、第２容量素子Ｃ２と、画像信号ｄ１を補正するための第２補正回路Ｒ２とで構成される。第３スイッチＸ３は、第１部分１０８と接続点Ｐ２との間に介在して両者の電気的な接続（導通および非導通）を制御する。第２容量素子Ｃ２は、接続点Ｐ２と接地線（または他の定電位線）との間に介挿される。第２補正回路Ｒ２は、接続点Ｐ２から第４スイッチＸ４の入力に至る経路上の点Ｑ２に接続される。第４スイッチＸ４は、Ｑ２とバッファＢＦの入力端との間に介在して両者の電気的な接続を制御する。本実施形態においては、第２保持部１１６からの画像信号出力を「出力Ｂ」と表記する。
【００３５】
第１スイッチＸ１と第３スイッチＸ３とは信号ＣＬＫＡに応じて制御され、第２スイッチＸ２と第４スイッチＸ４とは信号ＣＬＫＢに応じて制御される。本実施形態においては、第１スイッチＸ１および第３スイッチＸ３は相補的な関係であり、何れか一方がオン状態になると他方はオフ状態になる。同様に、第２スイッチＸ２および第４スイッチＸ４も相補的な関係であり、何れか一方がオン状態になると他方はオフ状態になる。
【００３６】
次に、図２から図４を参照しながら、電気光学装置１０の動作について説明する。図４は、電気光学装置１０の動作を示すタイミングチャートである。図４に示すように、走査線駆動回路２０から出力される走査信号Ｇ１、Ｇ２、・・・、Ｇｎは、順次ハイレベル（アクティブ状態）になって各々対応する走査線１０２に供給される。いま、第１行目の走査線１０２に供給される走査信号Ｇ１がハイレベルに遷移する水平走査期間（１Ｈ）に着目する。図４に示すように、１水平走査期間内の各単位期間Ｔにおいては、選択回路３０から出力される選択信号ＳＥＬが順次ハイレベルになって対応するブロックＢが選択される。
【００３７】
図４においては、第ｋ番目のブロックＢｋのデータ線ｂｋに対応する画素回路Ｐに供給されるべき画像信号ｄ１を「ｋ」と表記する。例えば、１番目のブロックＢ１のデータ線ｂ１に対応する画素回路Ｐに供給されるべき画像信号ｄ１は「１」、２番目のブロックＢ２のデータ線ｂ２に対応する画素回路Ｐに供給されるべき画像信号ｄ１は「２」という具合である。図４に示すように、各単位期間Ｔごとに、各ブロックＢのデータ線ｂに対応する画素回路Ｐに供給されるべき画像信号ｄ１が順番に画像信号線１０６ａに供給される。例えば、１水平走査期間内における複数の単位期間Ｔのうちの最初の単位期間Ｔ（１番目の単位期間Ｔ）においては、１番目のブロックＢ１のデータ線ｂ１に対応する画素回路Ｐに供給されるべき画像信号「１」が画像信号線１０６ａに供給され、次の単位期間Ｔ（２番目の単位期間Ｔ）においては、２番目のブロックＢ２のデータ線ｂ２に対応する画素回路Ｐに供給されるべき画像信号「２」が画像信号線１０６ａに供給されるという具合である。
【００３８】
次に、図３および図４を参照しながら、バッファ回路１１２の動作について説明する。図４に示すように、バッファ回路１１２に供給される信号ＣＬＫＡは、奇数番目の単位期間Ｔにおいてはハイレベルに維持され、偶数番目の単位期間Ｔにおいてはローレベルに維持される。一方、信号ＣＬＫＢは、奇数番目の単位期間Ｔにおいてはローレベルに維持される一方、偶数番目の単位期間Ｔにおいてはハイレベルに維持される。
【００３９】
いま、１水平走査期間内における複数の単位期間Ｔのうちの第１番目の単位期間Ｔ１について考える。図４に示すように、単位期間Ｔ１においては、信号ＣＬＫＡはハイレベル、信号ＣＬＫＢはローレベルに維持される。これにより、スイッチＸ１がオン状態になるとともにスイッチＸ３がオフ状態になる。また、スイッチＸ２がオフ状態になるとともにスイッチＸ４がオン状態になる。従って、最初の単位期間Ｔにおいては、画像信号線１０６ａにおける第１部分１０８から供給される画像信号「１」がスイッチＸ１を介して第１容量素子Ｃ１に保持される。
【００４０】
次の単位期間Ｔ２においては、信号ＣＬＫＡはローレベル、信号ＣＬＫＢはハイレベルに遷移する。これにより、スイッチＸ１がオフ状態になるとともにスイッチＸ３がオン状態になる。また、スイッチＸ２がオン状態になるとともにスイッチＸ４がオフ状態になる。従って、単位期間Ｔ２においては、第１容量素子Ｃ１に保持された画像信号「１」が第１補正回路Ｒ１によって所定の値に補正されたうえでスイッチＸ２およびバッファ部ＢＦを介して画像信号線１０６ａにおける第２部分１１０へ出力されるとともに、画像信号線１０６ａにおける第１部分１０８から供給される画像信号「２」がスイッチＸ３を介して第２容量素子Ｃ２に保持される。次の単位期間Ｔ３においては、信号ＣＬＫＡはハイレベル、信号ＣＬＫＢはローレベルに遷移して画像信号線１０６ａにおける第１部分１０８から供給される画像信号「３」がスイッチＸ１を介して第１容量素子Ｃ１に保持されるとともに、第２容量素子Ｃ１に保持された画像信号「２」が第２補正回路Ｒ２によって所定の値に補正されたうえでスイッチＸ４およびバッファ部ＢＦを介して画像信号線１０６ａにおける第２部分１１０へ出力される。
【００４１】
すなわち、バッファ回路１１２は、奇数番目の単位期間Ｔにおいて第１部分１０８から供給される画像信号ｄ１を第１保持部１１４に保持させるとともに第２保持部１１６に保持されている画像信号ｄ１を第２部分１１０へ出力（図４に示す「出力Ｂ」に相当）し、偶数番目の単位期間Ｔにおいて第１部分１０８から供給される画像信号ｄ１を第２保持部１１６に保持させるとともに第１保持部１１４に保持されている画像信号ｄ１を第２部分１１０へ出力（図４に示す「出力Ａ」に相当）する。また、図４に示すように、バッファ回路１１２から第２部分１１０に出力される画像信号ｄ１は、第１部分１０８に供給される画像信号ｄ１を単位期間Ｔの時間長だけ遅延させた信号となる。
【００４２】
図４に示すように、第１のブロック群ＢＬ１の各ブロックＢに対応する画像信号ｄ１（「１」〜「ｋ」）が順番に画像信号線１０６ａに供給される期間（１水平走査期間内の第１番目の単位期間Ｔ１から第ｋ番目の単位期間Ｔｋまでの期間）においては、当該ブロックＢに対応する画像信号ｄ１が画像信号線１０６ａにおける第１部分１０８に供給されるタイミングで当該ブロックＢが選択される。例えば、図４に示すように、単位期間Ｔ１においては、１番目のブロックＢ１に対応する画像信号「１」が画像信号線１０６ａにおける第１部分１０８に供給されるとともに１番目のブロックＢ１に対応する選択信号ＳＥＬ（１）がハイレベルになり、単位期間Ｔ２においては、２番目のブロックＢ２に対応する画像信号「２」が画像信号線１０６ａにおける第１部分１０８に供給されるとともに２番目のブロックＢ２に対応する選択信号ＳＥＬ（２）がハイレベルになるという具合である。
【００４３】
次に、第２のブロック群ＢＬ２の各ブロックに対応する画像信号ｄ１（「ｋ＋１」〜「ｎ」）が画像信号線１０６ａに供給される場合を考える。本実施形態において、「ｋ」は奇数であるとする。１水平走査期間内の第ｋ＋１番目の単位期間Ｔｋ＋１においては、第２のブロック群ＢＬ２の各ブロックＢのうちの最初に選択すべきブロックＢであるｋ＋１番目のブロックＢｋ＋１に対応する画像信号「ｋ＋１」が画像信号線１０６ａにおける第１部分１０８に供給されるが、このとき、バッファ回路１１２から画像信号線１０６ａにおける第２部分１１０に出力される画像信号ｄ１は「ｋ」である。バッファ回路１１２は、単位期間Ｔｋ＋１（１水平走査期間内における偶数番目の単位期間）において、第１部分１０８から供給される画像信号「ｋ＋１」を第２保持部１１６に保持させるとともに第１保持部１１４に保持されている画像信号「ｋ」を第２部分１１０へ出力するからである。そうすると、単位期間Ｔｋ＋１において、ｋ＋１番目のブロックＢｋ＋１に対応する選択信号ＳＥＬ（ｋ＋１）がハイレベルに遷移した場合は、画像信号「ｋ＋１」が供給されるべき画素回路Ｐに画像信号「ｋ」が供給されるから、２列にわたって同じ階調値の画像が表示されてしまい、好ましくない。
【００４４】
そこで、本実施形態においては、選択回路５０は、第１のブロック群ＢＬ１の各ブロックＢの選択を完了した時点ｔ１から単位期間Ｔの時間長が経過した時点ｔ２で、第２のブロック群ＢＬ２の各ブロックＢの選択を開始する。図４に示すように、第１のブロック群ＢＬ１の選択が完了する第ｋ番目の単位期間Ｔｋの次の単位期間、つまり第ｋ＋１番目の単位期間Ｔｋ＋１においては、第２のブロック群ＢＬ２の各ブロックＢのうちの最初に選択すべきブロックＢｋ＋１に対応する画像信号「ｋ＋１」が画像信号線１０６ａにおける第１部分１０８に供給されるものの、ブロックＢｋ＋１に対応する選択信号ＳＥＬ（ｋ＋１）はハイレベルには遷移せずにローレベルに維持される。これにより、第ｋ＋１番目の単位期間Ｔｋ＋１において、画像信号「ｋ＋１」が供給されるべき画素回路Ｐに画像信号「ｋ」が供給されることを防止できる。そして、次の第ｋ＋２番目の単位期間Ｔｋ＋２において、バッファ回路１１２から出力される画像信号「ｋ＋１」が第２部分１１０に供給されるとともに、ブロックＢｋ＋１に対応する選択信号ＳＥＬ（ｋ＋１）がハイレベルに遷移してブロックＢｋ＋１が選択される。これにより、画像信号「Ｋ＋１」がブロックＢｋ＋１に対応する画素回路Ｐへ供給される。以降、バッファ回路１１２から出力される画像信号ｄ１が画像信号線１０６ａにおける第２部分１１０に供給されるタイミングで、当該画像信号ｄ１が供給されるべき画素回路Ｐに対応するブロックＢが選択される。
【００４５】
また、本実施形態においては、複数の画像信号線１０６の各々において、当該画像信号線１０６の第１部分１０８と第２部分１１０との間にバッファ回路１１２が介在するから、画像信号線１０６に付随する抵抗や容量に起因した画像信号ｄの波形の鈍りが抑制される。ここで、相展開駆動方式においては、１本のデータ線１０４に画像信号ｄを供給する時間を点順次方式よりも長く確保できるという利点がある一方、相展開した画像信号線１０６の各々に画像信号ｄを供給する必要があるため、点順次方式と比べて制御回路４０の負荷が大きくなる。そのため、相展開駆動方式においては、制御回路４０の負荷を極力抑制することが望まれる。画像信号線１０６にバッファ回路１１２を介在させない構成（以下「対比例」という）において画像信号ｄの波形の鈍りを解消するためには、制御回路４０からの出力値を増大させる必要があるため、制御回路４０の負荷が増大してしまう。本実施形態においては、画像信号線１０６の第１部分１０８と第２部分１１０との間にバッファ回路１１２を介在させることにより、制御回路４０の出力値を増大させることなく画像信号ｄの波形の鈍りを抑制できるから、制御回路４０の負荷が対比例に比べて軽減されるという利点がある。
【００４６】
＜Ｂ：第２実施形態＞
図５は、本発明の第２実施形態に係る電気光学装置１０の動作を示すタイミングチャートである。本実施形態においては、電気光学装置１０を構成する各要素（画素回路Ｐ、走査線駆動回路２０等）は第１実施形態と同じであるから、重複する部分については説明を省略する。
【００４７】
図５に示すように、本実施形態においては、制御回路４０は、第１のブロック群ＢＬ１の各ブロックＢに対応する画像信号ｄ１の供給を開始する時点ｔ３の直前の単位期間Ｔ０において、第２のブロック群ＢＬ２の各ブロックＢのうち最初に選択すべきブロックＢである第ｋ＋１番目のブロックＢｋ＋１に対応する画像信号「ｋ＋１」を画像信号線１０６ａの第１部分１０８に供給する。このとき、信号ＣＬＫＡはローレベル、信号ＣＬＫＢはハイレベルに維持され、画像信号「ｋ＋１」はバッファ回路１１２の第２保持部１１６に保持される。そして、単位期間Ｔ０の時間長が経過して第１のブロック群ＢＬ１の各ブロックＢに対応する画像信号ｄ１の供給が開始されると、信号ＣＬＫＡはハイレベル、信号ＣＬＫＢはローレベルに遷移する。これにより、バッファ回路１１２の第２保持部１１６に保持されていた画像信号「ｋ＋１」が画像信号線１０６ａにおける第２部分１１０へ出力される。
【００４８】
図５に示すように、第１のブロック群ＢＬ１の各ブロックＢに対応する画像信号ｄ１（「１」〜「ｋ」）が順番に画像信号線１０６ａに供給される期間Ｔｂ１においては、当該ブロックＢに対応する画像信号ｄ１が画像信号線１０６ａにおける第１部分１０８に供給されるタイミングで当該ブロックＢが選択される。例えば、図５に示すように、第１番目のブロックＢ１に対応する画像信号「１」が画像信号線１０６ａにおける第１部分１０８に供給されるタイミングで、第１番目のブロックＢ１に対応する選択信号ＳＥＬ（１）がハイレベルになるという具合である。図５に示すように、期間Ｔｂ１においては、信号ＣＬＫＡはハイレベル、信号ＣＬＫＢはローレベルに維持される。従って、期間Ｔｂ１、すなわち第１のブロック群ＢＬ１の各ブロックＢの選択が行われる期間においては、バッファ回路１１２の第２保持部１１６からは画像信号「ｋ＋１」が第２部分１１０へ出力され続けるとともに第１のブロック群ＢＬ１の各ブロックＢに対応する画像信号ｄ１（「１」〜「ｋ」）が順番にバッファ回路１１２の第１保持部１１４における第１容量素子Ｃ１に書き込まれるが、スイッチＸ２がオフ状態に維持されるため、第１容量素子Ｃ１に書き込まれた画像信号ｄ１は第２部分１１０には出力されない。
【００４９】
図５に示すように、第１のブロック群ＢＬ１の各ブロックＢの選択が完了した直後の単位期間Ｔｋ＋１（１水平走査期間内における第ｋ＋１番目の単位期間Ｔ）においては、第２のブロック群ＢＬ２の各ブロックＢのうち次に選択すべきブロックＢである第ｋ＋２番目のブロックＢｋ＋２に対応する画像信号「ｋ＋２」が画像信号線１０６ａにおける第１部分１０８に供給される。以降の各単位期間Ｔにおいては、第２のブロック群ＢＬ２の各ブロックに対応する画像信号ｄ１（「ｋ＋３」〜「ｎ」）が順番に画像信号線１０６ａにおける第１部分１０８に供給される。
【００５０】
図５に示すように、単位期間Ｔｋ＋１においては、信号ＣＬＫＡはハイレベル、信号ＣＬＫＢはローレベルに維持される。従って、バッファ回路１１２の第２保持部１１６からは画像信号「ｋ＋１」が第２部分１１０へ出力され続けるとともに、第１部分１０８から供給される画像信号「ｋ＋２」が第１保持部１１４に保持される。次の単位期間Ｔｋ＋２においては、信号ＣＬＫＡはローレベル、信号ＣＬＫＢはハイレベルに遷移する。従って、バッファ回路１１２の第１保持部１１４からは画像信号「ｋ＋２」が第２部分１１０へ出力されるとともに、第１部分１０８から供給される画像信号「ｋ＋３」が第２保持部１１６に保持される。以降、信号ＣＬＫＡは、各単位期間Ｔごとにハイレベルおよびローレベルの何れか一方から他方に変化する。同様に、信号ＣＬＫＢも、各単位期間Ｔごとにハイレベルおよびローレベルの何れか一方から他方に変化する。図５に示すように、各単位期間Ｔにおいて、信号ＣＬＫＢは信号ＣＬＫＡとは反対のレベルになるように制御される。
【００５１】
図５に示すように、単位期間Ｔｋ＋１においては、第ｋ＋１番目のブロックＢｋ＋１に対応する選択信号ＳＥＬ（ｋ＋１）がハイレベルに遷移して、ブロックＢｋ＋１が選択される。これにより、バッファ回路１１２から第２部分１１０に出力される画像信号「ｋ＋１」がブロックＢｋ＋１に対応する画素回路Ｐに供給される。次の単位期間Ｔｋ＋２においては、第ｋ＋２番目のブロックＢｋ＋２に対応する選択信号ＳＥＬ（ｋ＋２）がハイレベルに遷移して、ブロックＢｋ＋１が選択される。これにより、バッファ回路１１２から第２部分１１０に出力される画像信号「ｋ＋２」がブロックＢｋ＋２に対応する画素回路Ｐに供給される。以降の各単位期間Ｔにおいては、バッファ回路１１２から出力される画像信号ｄ１が画像信号線１０６ａにおける第２部分１１０に供給されるタイミングで、当該画像信号ｄ１が供給されるべき画素回路Ｐに対応するブロックＢが選択される。すなわち、本実施形態においては、選択回路５０は、１水平走査期間内の各単位期間Ｔにおいて各ブロックＢの選択を順番通りに行うことができる。従って、本実施形態の構成によれば、１水平走査期間内の各単位期間ＴのうちブロックＢの選択を行わない単位期間Ｔを設ける必要が無いから、第１実施形態の構成と比べて、選択回路５０の制御を簡単に行うことができるという利点がある。
【００５２】
＜Ｃ：第３実施形態＞
【００５３】
図６は、本発明の第３実施形態に係る電気光学装置１０の構成を示すブロック図である（第１実施形態における図２に対応）。図６に示すように、画像信号線１０６ａは第１のバッファ回路１１２Ａと第２のバッファ回路１１２Ｂとに接続される。第１のバッファ回路１１２Ａの出力側には第１の信号線１３０が接続される。第２のバッファ回路１１２Ｂの出力側には第２の信号線１４０が接続される。図６に示すように、第１の信号線１３０は第１のブロック群ＢＬ１に対応し、第２の信号線１４０は第２のブロック群ＢＬ２に対応する。その他の構成は上述の各実施形態の構成と同じであるから、重複する部分については説明を省略する。
【００５４】
図７は、第１のバッファ回路１１２Ａおよび第２のバッファ回路１１２Ｂの詳細な構成を示す回路図である。図７に示すように、第１のバッファ回路１１２Ａは、第１保持部１２０と第２保持部１２２と第１バッファ部ＢＦ１とを含む。第１保持部１２０は、第１スイッチＸ１および第２スイッチＸ２と、第１容量素子Ｃ１と、画像信号ｄ１を補正するための第１補正回路Ｒ１とで構成される。第１スイッチＸ１は、画像信号線１０６ａと接続点Ｐ１との間に介在して両者の電気的な接続（導通および非導通）を制御する。第１容量素子Ｃ１は、接続点Ｐ１と接地線（または他の定電位線）との間に介挿される。第１補正回路Ｒ１は、接続点Ｐ１から第２スイッチＸ２の入力に至る経路上の点Ｑ１に接続される。第２スイッチＸ２は、Ｑ１と第１バッファ部ＢＦ１の入力端との間に介在して両者の電気的な接続を制御する。第１バッファ部ＢＦ１の出力端は、第１のブロック群ＢＬ１に対応する第１の信号線１３０に接続される。本実施形態においては、第１保持部１２０からの画像信号出力を「出力Ａ１」と表記する。
【００５５】
第２保持部１２２は、第３スイッチＸ３および第４スイッチＸ４と、第２容量素子Ｃ２と、画像信号ｄ１を補正するための第２補正回路Ｒ２とで構成される。第３スイッチＸ３は、画像信号線１０６ａと接続点Ｐ２との間に介在して両者の電気的な接続（導通および非導通）を制御する。第２容量素子Ｃ２は、接続点Ｐ２と接地線（または他の定電位線）との間に介挿される。第２補正回路Ｒ２は、接続点Ｐ２から第４スイッチＸ４の入力に至る経路上の点Ｑ２に接続される。第４スイッチＸ４は、Ｑ２と第１バッファ部ＢＦ１の入力端との間に介在して両者の電気的な接続を制御する。本実施形態においては、第２保持部１２２からの画像信号出力を「出力Ｂ１」と表記する。
【００５６】
図７に示すように、第２のバッファ回路１１２Ｂは、第３保持部１２４と第４保持部１２６と第２バッファ部ＢＦ２とを含む。第３保持部１２４は、第５スイッチＸ５および第６スイッチＸ６と、第３容量素子Ｃ３と、画像信号ｄ１を補正するための第３補正回路Ｒ３とで構成される。第５スイッチＸ５の入力側は、スルー用スイッチＳＷを介して画像信号線１０６ａと接続される。スルー用スイッチＳＷはスルー信号ＴＨに応じてオンオフが制御され、オン状態になると画像信号線１０６ａと第５スイッチＸ５の入力側とが導通する。また、第５スイッチＸ５は、スルー用スイッチＳＷと接続点Ｐ１１との間に介在して両者の電気的な接続（導通および非導通）を制御する。第３容量素子Ｃ３は、接続点Ｐ１１と接地線（または他の定電位線）との間に介挿される。第３補正回路Ｒ３は、接続点Ｐ１１から第６スイッチＸ６の入力に至る経路上の点Ｑ１１に接続される。第６スイッチＸ６は、Ｑ１１と第２バッファ部ＢＦ２の入力端との間に介在して両者の電気的な接続を制御する。第２バッファ部ＢＦ２の出力端は、第２のブロック群ＢＬ２に対応する第２の信号線１４０に接続される。本実施形態においては、第３保持部１２４からの画像信号出力を「出力Ａ２」と表記する。
【００５７】
第４保持部１２６は、第７スイッチＸ７および第８スイッチＸ８と、第４容量素子Ｃ４と、画像信号ｄ１を補正するための第４補正回路Ｒ４とで構成される。第７スイッチＸ７の入力側は、スルー用スイッチＳＷを介して画像信号線１０６ａと接続される。また、第７スイッチＸ７は、スルー用スイッチＳＷと接続点Ｐ２２との間に介在して両者の電気的な接続（導通および非導通）を制御する。第４容量素子Ｃ４は、接続点Ｐ２２と接地線（または他の定電位線）との間に介挿される。第４補正回路Ｒ４は、接続点Ｐ２２から第８スイッチＸ８の入力に至る経路上の点Ｑ２２に接続される。第８スイッチＸ８は、Ｑ２２と第２バッファ部ＢＦ２の入力端との間に介在して両者の電気的な接続を制御する。本実施形態においては、第４保持部１２６からの画像信号出力を「出力Ｂ２」と表記する。
【００５８】
第１バッファ回路１１２Ａにおける第１スイッチＸ１および第３スイッチＸ３と、第２バッファ回路１１２Ｂにおける第５スイッチＸ５および第７スイッチＸ７とは信号ＣＬＫＡに応じて制御される。本実施形態においては、第１スイッチＸ１および第３スイッチＸ３は相補的な関係である。同様に、第５スイッチＸ５および第７スイッチＸ７も相補的な関係である。
【００５９】
第１バッファ回路１１２Ａにおける第２スイッチＸ２および第４スイッチＸ４と、第２バッファ回路１１２Ｂにおける第６スイッチＸ６および第８スイッチＸ８とは信号ＣＬＫＢに応じて制御される。本実施形態においては、第２スイッチＸ２および第４スイッチＸ４は相補的な関係である。同様に、第６スイッチＸ６およびス第８スイッチＸ８も相補的な関係である。
【００６０】
図８は、本実施形態に係る電気光学装置１０の動作を示すタイミングチャートである。
図８に示すように、上述の各実施形態と同様、１水平走査期間内（１Ｈ）の各単位期間Ｔごとに各画像信号ｄ１が順番に画像信号線１０６ａに供給される。
【００６１】
図７および図８を参照しながら、第１のバッファ回路１１２Ａおよび第２のバッファ回路１１２Ｂの動作について説明する。図８に示すように、信号ＣＬＫＡおよび信号ＣＬＫＢが第１のバッファ回路１１２Ａおよび第２のバッファ回路１１２Ｂに供給されるタイミングは、第１実施形態と同じである。
【００６２】
図８に示すように、第１のブロック群ＢＬ１の各ブロックＢに対応する画像信号ｄ１が画像信号線１０６ａに供給される期間（すなわち、１水平走査期間内における第１番目の単位期間Ｔから第ｋ番目の単位期間Ｔ）においては、スルー用スイッチＳＷに供給されるスルー信号ＴＨはローレベルに維持されてスルー用スイッチＳＷはオフ状態に維持される。従って、画像信号線１０６ａに供給される画像信号ｄ１は、第２のバッファ回路１１２Ｂには供給されずに第１のバッファ回路１１２Ａのみに供給される。
【００６３】
いま、１水平走査期間内の第１番目の単位期間Ｔ１について考える。図８に示すように、単位期間Ｔ１においては、信号ＣＬＫＡはハイレベル、信号ＣＬＫＢはローレベルに維持される。これにより、第１スイッチＸ１がオン状態になるとともに第３スイッチＸ３がオフ状態になる。また、第２スイッチＸ２がオフ状態になるとともに第４スイッチＸ４がオン状態になる。従って、単位期間Ｔ１においては、画像信号線１０６ａから供給される画像信号「１」が第１スイッチＸ１を介して第１容量素子Ｃ１に保持される。
【００６４】
次の単位期間Ｔ２においては、信号ＣＬＫＡはローレベル、信号ＣＬＫＢはハイレベルに遷移する。これにより、第１スイッチＸ１がオフ状態になるとともに第３スイッチＸ３がオン状態になる。また、第２スイッチＸ２がオン状態になるとともに第４スイッチＸ４がオフ状態になる。従って、単位期間Ｔ２においては、第１容量素子Ｃ１に保持された画像信号「１」が第１補正回路Ｒ１によって所定の値に補正されたうえで第２スイッチＸ２および第１バッファ部ＢＦ１を介して第１信号線１３０へ出力されるとともに、画像信号線１０６ａから供給される画像信号「２」が第３スイッチＸ３を介して第２容量素子Ｃ２に保持される。
【００６５】
すなわち、第１のブロック群ＢＬ１の各ブロックＢに対応する画像信号ｄ１が画像信号線１０６ａに供給される期間においては、第１のバッファ回路１１２Ａは、１水平走査期間内における奇数番目の単位期間Ｔにおいて画像信号線１０６ａから供給される画像信号ｄ１を第１保持部１２０に保持させるとともに第２保持部１２２に保持されている画像信号ｄ１を第１信号線１３０へ出力（図８に示す「出力Ｂ１」に相当）し、偶数番目の単位期間Ｔにおいて画像信号線１０６ａから供給される画像信号ｄ１を第２保持部１２２に保持させるとともに第１保持部１２０に保持されている画像信号ｄ１を第１信号線１３０へ出力（図８に示す「出力Ａ１」に相当）する。図８に示すように、第１のバッファ回路１１２Ａから第１信号線１３０に出力される画像信号ｄ１は、画像信号線１０６ａに供給される画像信号ｄ１を単位期間Ｔの時間長だけ遅延させた信号となる。
【００６６】
選択回路５０は、第１のバッファ回路１１２Ａから出力される画像信号ｄ１が第１信号線１３０に供給されるタイミングで、当該画像信号ｄ１が供給されるべき画素回路Ｐに対応するブロックＢを選択する。例えば、図８に示すように、第１番目のブロックＢ１に対応する画像信号「１」が第１のバッファ回路１１２Ａから第１信号線１３０へ出力されるタイミングで、第１番目のブロックＢ１に対応する選択信号ＳＥＬ（１）がハイレベルになるという具合である。本実施形態においては、選択回路５０は、選択すべきブロックＢに対応する画像信号ｄ１が画像信号線１０６ａに供給される単位期間Ｔの次の単位期間Ｔにおいて、当該ブロックＢを選択する。図８に示すように、第１のブロック群ＢＬ１の各ブロックＢが選択される期間を第１選択期間ＳＴ１と表記する。
【００６７】
本実施形態においては、第１選択期間ＳＴ１が終了した時点よりも単位期間Ｔの時間長だけ前の時点から第２のバッファ回路１１２Ｂに対する画像信号ｄ１の供給が開始される。さらに詳述すると、図８に示すように、１水平走査期間内の第ｋ＋１番目の単位期間Ｔｋ＋１において、スルー信号ＴＨがローレベルからハイレベルへ遷移してスルー用スイッチＳＷがオン状態に遷移する。本実施形態においては、スルー信号ＴＨは、第２のブロック群ＢＬ２の各ブロックに対応する画像信号ｄ１が画像信号線１０６ａに供給される期間（すなわち、１水平走査期間内の第ｋ＋１番目の単位期間Ｔｋ＋１から第ｎ番目の単位期間Ｔｎまでの期間）にわたってハイレベルに維持される。
【００６８】
いま、単位期間Ｔｋ＋１における第２のバッファ回路１１２Ｂの動作について説明する。図８に示すように、単位期間Ｔｋ＋１においては、画像信号線１０６ａには画像信号「ｋ＋１」が供給されるとともに、信号ＣＬＫＡはローレベル、信号ＣＬＫＢはハイレベルである。これにより、第５スイッチＸ５がオフ状態になるとともに第７スイッチＸ７がオン状態になる。また、第６スイッチＸ６がオン状態になるとともに第８スイッチＸ８がオフ状態になる。従って、単位期間Ｔｋ＋１においては、画像信号線１０６ａから供給される画像信号「ｋ＋１」が第７スイッチＸ７を介して第４容量素子Ｃ４に保持される。
【００６９】
次の単位期間Ｔｋ＋２においては、信号ＣＬＫＡはハイレベル、信号ＣＬＫＢはローレベルに遷移する。これにより、第５スイッチＸ５がオン状態になるとともに第７スイッチＸ７がオフ状態になる。また、第６スイッチＸ６がオフ状態になるとともに第８スイッチＸ８がオン状態になる。従って、単位期間Ｔｋ＋２においては、第４容量素子Ｃ４に保持された画像信号「ｋ＋１」が第４補正回路Ｒ４によって所定の値に補正されたうえで第８スイッチＸ８および第２バッファ部ＢＦ２を介して第２の信号線１４０へ出力される（図８に示す「出力Ｂ２」に相当）とともに、画像信号線１０６ａから供給される画像信号「ｋ＋２」が第スイッチＸ５を介して第３容量素子Ｃ３に保持される。次の単位期間Ｔｋ＋３においては、信号ＣＬＫＡはローレベル、信号ＣＬＫＢはハイレベルに遷移して画像信号線１０６ａから供給される画像信号「ｋ＋３」が第７スイッチＸ７を介して第４容量素子Ｃ４に保持されるとともに、第３容量素子Ｃ３に保持された画像信号「ｋ＋２」が第３補正回路Ｒ３によって所定の値に補正されたうえで第６スイッチＸ６および第２バッファ部ＢＦ２を介して第２の信号線１４０へ出力される（図８に示す「出力Ａ２」に相当）。図８に示すように、第２のバッファ回路１１２Ｂから第２信号線１４０に出力される画像信号ｄ１は、画像信号線１０６ａに供給される画像信号ｄ１を単位期間Ｔの時間長だけ遅延させた信号となる。
【００７０】
選択回路５０は、第１選択期間ＳＴ１が終了した後の各単位期間Ｔにおいて、第２のバッファ回路１１２Ｂから出力される画像信号ｄ１が第２信号線１４０に供給されるタイミングで、当該画像信号ｄ１が供給されるべき画素回路Ｐに対応するブロックＢを選択する。例えば、図８に示すように、第１選択期間ＳＴ１が終了した直後の単位期間Ｔｋ＋２においては、第２のバッファ回路１１２Ｂにおける第４保持部１２６から画像信号「ｋ＋１」が第２信号線１４０へ出力されるとともに、ブロックＢｋ＋１に対応する選択信号ＳＥＬ（ｋ＋１）がハイレベルになってブロックＢｋ＋１が選択されるという具合である。図８に示すように、第２のブロック群ＢＬ２の各ブロックＢが選択される期間を第２選択期間ＳＴ２と表記する。
【００７１】
本実施形態においては、図８に示すように、第１選択期間ＳＴ１が開始される時点よりも単位期間Ｔの時間長だけ前の第１時点ｔ１１（１水平走査期間の開始時点）から、第１選択期間ＳＴ１が終了する時点よりも単位期間Ｔの時間長だけ前の第２時点ｔ２２（第１のブロック群ＢＬ１の各ブロックＢに対応する画像信号ｄ１の画像信号線１０６ａに対する供給が終了した時点）までは、スルー信号ＴＨがローレベルに維持されて、第２のバッファ回路１１２Ｂへの画像信号１０６ａの供給が遮断される。従って、図８に示す第１時点ｔ１１から第２時点ｔ２２までの期間においては、第１のブロック群ＢＬ１における各ブロックＢに対応する画像信号ｄ１が第２信号線１４０に出力されることはない。これにより、第２信号線１４０の負荷を軽減できるという利点がある。また、図８に示すように、選択回路５０は、第１選択期間ＳＴ１および第２選択期間ＳＴ２における各単位期間Ｔにおいて、各ブロックＢの選択を順番通りに行うことができる。すなわち、本実施形態においては、第１の実施形態に比べて選択回路５０の制御を簡単に行うことができるという利点もある。
【００７２】
また、本実施形態においては、第１のバッファ回路１１２Ａの出力側に接続された第１の信号線１３０は第１のブロック群ＢＬ１に対応し、第２のバッファ回路１１２Ｂの出力側に接続された第２の信号線１４０は第２のブロック群ＢＬ２に対応するから、第１の信号線１３０および第２の信号線１４０に供給される画像信号ｄの波形の鈍りを抑制できる。従って、本実施形態の構成によれば、対比例に比べて制御回路４０の負荷を軽減できるという利点がある。
【００７３】
＜Ｄ：第４実施形態＞
図９は、本発明の第４実施形態に係る電気光学装置１０の構成を示すブロック図である（第１実施形態における図２に対応）。本実施形態においては、３ｎ本のデータ線１０４の各々に対応するサンプリングスイッチＳから当該データ線１０４に対応する画素回路Ｐに至る経路上に画素用バッファ回路１１３が設けられる点で第１実施形態の構成と相違する。その他の構成は第１実施形態の構成と同じであるから、重複する部分については説明を省略する。なお、走査線駆動回路２０およびデータ線駆動回路３０の動作、ならびに３本の画像信号線１０６の各々に介在するバッファ回路１１２の動作についても第１実施形態と同じである。
【００７４】
図１０は、画素用バッファ回路１１３の詳細な構成を示す回路図である。図１０に示すように、画素用バッファ回路１１３は、第１保持部１３２と第２保持部１３４とバッファ部ＢＦ３とを含む。第１保持部１３２は、第１スイッチＥ１および第２スイッチＥ２と、第１容量素子Ｃ１１と、画像信号ｄ１を補正するための第１補正回路Ｕ１とで構成される。第１スイッチＥ１は、サンプリングスイッチＳと接続点Ｇ１との間に介在して両者の電気的な接続（導通および非導通）を制御する。第１容量素子Ｃ１１は、接続点Ｇ１と接地線（または他の定電位線）との間に介挿される。第１補正回路Ｕ１は、接続点Ｇ１から第２スイッチＥ２の入力に至る経路上の点Ｈ１に接続される。第２スイッチＥ２は、Ｈ１とバッファ部ＢＦ３の入力端との間に介在して両者の電気的な接続を制御する。バッファ部ＢＦ３の出力端は、データ線１０４に接続される。
【００７５】
第２保持部１３４は、第３スイッチＥ３および第４スイッチＥ４と、第２容量素子Ｃ２２と、画像信号ｄ１を補正するための第２補正回路Ｕ２とで構成される。第３スイッチＥ３は、サンプリングスイッチＳと接続点Ｇ２との間に介在して両者の電気的な接続（導通および非導通）を制御する。第２容量素子Ｃ２２は、接続点Ｇ２と接地線（または他の定電位線）との間に介挿される。第２補正回路Ｕ２は、接続点Ｇ２から第４スイッチＥ４の入力に至る経路上の点Ｈ２に接続される。第４スイッチＥ４は、Ｈ２とバッファ部ＢＦ３の入力端との間に介在して両者の電気的な接続を制御する。
【００７６】
第１保持部１３２の第１スイッチＥ１と第２保持部１３４の第３スイッチＥ３とは信号ＣＬＫＡ２に応じて制御され、第１保持部１３２の第２スイッチＥ２と第２保持部１３４の第４スイッチＥ４とは信号ＣＬＫＢ２に応じて制御される。信号ＣＬＫＡ２は、各水平走査期間ごとにハイレベルおよびローレベルの何れか一方から他方に変化する。同様に、信号ＣＬＫＢ２も、各水平走査期間ごとにハイレベルおよびローレベルの何れか一方から他方に変化する。各水平走査期間において、信号ＣＬＫＢ２は信号ＣＬＫＡ２とは反対のレベルになるように制御される。本実施形態においては、第１スイッチＥ１および第３スイッチＥ３は相補的な関係である。同様に、第２スイッチＥ２および第４スイッチＥ４も相補的な関係である。
【００７７】
図１１は、第１行目の走査線１０２が選択される第１水平走査期間（１Ｈ）における電気光学装置１０の動作を示すタイミングチャートである。図１１に示すように、第１水平走査期間においては、信号ＣＬＫＡ２はハイレベル、信号ＣＬＫＢ２はローレベルに維持される。これにより、各画素用バッファ回路１１３の第１スイッチＥ１がオン状態になるとともに第３スイッチＥ３がオフ状態になる。また、第２スイッチＥ２がオフ状態になるとともに第４スイッチＥ４がオン状態になる。従って、図１１に示すように、第１水平走査期間においては、選択回路５０による選択に同期してサンプリングスイッチＳが画像信号線１０６ａからサンプリングした画像信号ｄ１が、対応する画素用バッファ回路１１３の第１保持部１３２における第１容量素子Ｃ１１に保持される。図１１において、第ｊ番目のブロックＢｊに対応する画素用バッファ回路１１３は「１１３Ｂｊ」と表記する。例えば、第１番目のブロックＢ１に対応する画素用バッファ回路１１３は「１１３Ｂ１」、第２番目のブロックＢ２に対応する画素用バッファ回路１１３は「１１３Ｂ２」という具合である。
【００７８】
図１２は、第２行目の走査線１０２が選択される第２水平走査期間（１Ｈ）における電気光学装置１０の動作を示すタイミングチャートである。図１２に示すように、第ｋ番目のブロックＢｋに対応する画素回路Ｐに供給されるべき画像信号ｄ１を「２ｋ」と表記する。例えば、１番目のブロックＢ１に対応する画像信号ｄ１は「２１」、２番目のブロックＢ２対応する画像信号ｄ１は「２２」という具合である。
【００７９】
図１２に示すように、第２水平走査期間においては、信号ＣＬＫＡ２はローレベル、信号ＣＬＫＢ２はハイレベルに遷移する。これにより、各画素用バッファ回路１１３の第１スイッチＥ１がオフ状態になるとともに第３スイッチＥ３がオン状態になる。また、第２スイッチＥ２がオン状態になるとともに第４スイッチＥ４がオフ状態になる。これにより、図１２に示すように、第２水平走査期間においては、第１水平走査期間において画像信号線１０６ａに供給された各画像信号ｄ１が各画素回路Ｐに一斉に出力され続ける。また、図１２に示すように、選択回路５０による選択に同期してサンプリングスイッチＳが画像信号線１０６ａからサンプリングした画像信号ｄ１（「２１」〜「２ｎ」）が、対応する画素用バッファ回路１１３の第２保持部１３４における第２容量素子Ｃ２２に保持される。
【００８０】
本実施形態においては、各水平走査期間ごとに、当該水平走査期間の直前の水平走査期間に画像信号線１０６ａに供給された各画像信号ｄが、当該水平走査期間において各画素回路Ｐに一斉に出力され続けるから、各画素回路Ｐに対する画像信号ｄの供給時間を十分に確保できるという利点がある。また、本実施形態においては、各データ線１０４ごとに画素用バッファ回路１１３が介在するから、各々のデータ線１０４に供給される画像信号ｄ１の波形の鈍りを抑制できる。従って、対比例に比べて、制御回路４０の負荷を軽減できるという利点がある。
【００８１】
＜Ｅ：変形例＞
本発明は上述した各実施形態に限定されるものではなく、例えば、以下の変形が可能である。また、以下に示す変形例のうちの２以上の変形例を組み合わせることもできる。
【００８２】
（１）変形例１
上述した各実施形態においては、３本のデータ線１０４をブロック化する態様を例示しているが、１ブロックに属するデータ線１０４の本数（相展開数）は任意である。１ブロックに属するデータ線１０４の本数が多いほど画素回路Ｐに対する画像信号ｄの書き込み時間を長くすることができる一方、画像信号線１０６の本数が増大するために、画素アレイ部１００の外側の領域である額縁部分のサイズは増大する。
【００８３】
（２）変形例２
第１実施形態においては、３本の画像信号線１０６の各々において、第１のブロック群ＢＬ１に対応する第１部分１０８と第２のブロック群ＢＬ２に対応する第２部分１１０との間にバッファ回路１１２が介在するが、各画像信号線１０６においてバッファ回路１１２が介在する位置は任意である。例えば、画像信号線１０６の中点付近にバッファ回路１１２が介在する態様とすることもできる。要するに、画像信号線１０６に供給される画像信号ｄの波形の鈍りを整形できるように、バッファ回路１１２が画像信号線１０６に介在する態様であればよい。また、画像信号線１０６に介在するバッファ回路１１２の数も任意である。
【００８４】
（３）変形例３
上述の各実施形態においては、各画素回路Ｐが液晶素子を含む態様が例示されているが、これに限らず、各画素回路Ｐに含まれる電気光学素子は任意に変更が可能である。例えば、各画素回路Ｐが有機発光ダイオード素子を含む態様とすることもできるし、無機発光ダイオードやＬＥＤ（Ｌｉｇｈｔ  Ｅｍｉｔｔｉｎｇ  Ｄｉｏｄｅ）を含む態様とすることもできる。
【００８５】
（４）変形例４
第１実施形態において、選択信号ＳＥＬ（１）〜ＳＥＬ（ｎ）を出力する選択回路５０が、クロックに同期してパルスを転送するシフト転送回路で構成され、シフト転送回路が選択信号ＳＥＬ（１）〜ＳＥＬ（ｎ）のうちそれぞれを出力する複数のシフト単位回路で構成されてもよい。そして、選択信号ＳＥＬ（ｋ）を出力するシフト単位回路と、選択信号ＳＥＬ（ｋ＋１）を出力するシフト単位回路との間に、選択信号ＳＥＬをサンプリングスイッチＳに供給しないシフト単位回路を配置してもよい。
第３実施形態においても同様に、選択信号ＳＥＬ（ｋ）を出力するシフト単位回路と、選択信号ＳＥＬ（ｋ＋１）を出力するシフト単位回路との間に、選択信号ＳＥＬをサンプリングスイッチＳに供給しないシフト単位回路を配置し、選択信号ＳＥＬ（ｎ）を出力するシフト単位回路と、選択信号ＳＥＬ（１）を出力するシフト単位回路との間に、選択信号をサンプリングスイッチＳに供給しないシフト単位回路を配置してもよい。
【００８６】
＜Ｆ：応用例＞
次に、本発明に係る電気光学装置１０を利用した電子機器について説明する。図１３は、以上に説明した何れかの形態に係る電気光学装置１０を表示装置として採用したモバイル型のパーソナルコンピュータの構成を示す斜視図である。パーソナルコンピュータ２０００は、表示装置としての電気光学装置１０と本体部２０１０とを備える。本体部２０１０には、電源スイッチ２００１およびキーボード２００２が設けられている。この電気光学装置１０は電気光学素子１１にＯＬＥＤ素子を使用しているので、視野角が広く見易い画面を表示できる。
【００８７】
図１４に、実施形態に係る電気光学装置１０を適用した携帯電話機の構成を示す。携帯電話機３０００は、複数の操作ボタン３００１およびスクロールボタン３００２、ならびに表示装置としての電気光学装置１０を備える。スクロールボタン３００２を操作することによって、電気光学装置１０に表示される画面がスクロールされる。
【００８８】
図１５に、実施形態に係る電気光学装置１０を適用した携帯情報端末（ＰＤＡ：Personal Digital Assistants）の構成を示す。情報携帯端末４０００は、複数の操作ボタン４００１および電源スイッチ４００２、ならびに表示装置としての電気光学装置１０を備える。電源スイッチ４００２を操作すると、住所録やスケジュール帳といった各種の情報が電気光学装置１０に表示される。
【００８９】
なお、本発明に係る電気光学装置が適用される電子機器としては、図１３から図１５に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る電気光学装置の用途は画像の表示に限定されない。例えば、光書込み型のプリンタや電子複写機といった画像形成装置においては、用紙などの記録材に形成されるべき画像に応じて感光体を露光する書込みヘッドが使用されるが、この種の書込みヘッドとしても本発明の電気光学装置は利用される。本発明にいう電子回路とは、各実施形態のように表示装置の画素を構成する画素回路のほか、画像形成装置における露光の単位となる回路をも含む概念である。
【図面の簡単な説明】
【００９０】
【図１】第１実施形態に係る電気光学装置の構成を示すブロック図である。
【図２】第１実施形態に係る電気光学装置の構成を簡略化したブロック図である。
【図３】第１実施形態に係るバッファ回路の構成を示す回路図である。
【図４】第１実施形態に係る電気光学装置の動作を示すタイミングチャートである。
【図５】第２実施形態に係る電気光学装置の動作を示すタイミングチャートである。
【図６】第３実施形態に係る電気光学装置の構成を示すブロック図である。
【図７】第３実施形態に係るバッファ回路の構成を示す回路図である。
【図８】第３実施形態に係る電気光学装置の動作を示すタイミングチャートである。
【図９】第４実施形態に係る電気光学装置の構成を示すブロック図である。
【図１０】第４実施形態に係る画素用バッファ回路の構成を示す回路図である。
【図１１】第４実施形態に係る電気光学装置の動作を示すタイミングチャートである。
【図１２】第４実施形態に係る電気光学装置の動作を示すタイミングチャートである。
【図１３】本発明に係る電子機器の具体的な形態を示す斜視図である。
【図１４】本発明に係る電子機器の具体的な形態を示す斜視図である。
【図１５】本発明に係る電子機器の具体的な形態を示す斜視図である。
【符号の説明】
【００９１】
１０……電気光学装置、２０……走査線駆動回路、３０……データ線駆動回路、４０……制御回路、５０……選択回路、１０２……走査線、１０４……データ線、１０６……画像信号線、１０８……第１部分、１１０……第２部分、１１２……バッファ回路、１１３……画素用バッファ回路、Ｂ……ブロック、ＢＬ１……第１のブロック群、ＢＬ２……第２のブロック群、ｄ……画像信号、Ｇ……走査信号、ＳＥＬ……選択信号、Ｓ……サンプリングスイッチ、Ｐ……画素回路。
【図１】
2009222745.tif 000003
【図２】
2009222745.tif 000004
【図３】
2009222745.tif 000005
【図４】
2009222745.tif 000006
【図５】
2009222745.tif 000007
【図６】
2009222745.tif 000008
【図７】
2009222745.tif 000009
【図８】
2009222745.tif 000010
【図９】
2009222745.tif 000011
【図１０】
2009222745.tif 000012
【図１１】
2009222745.tif 000013
【図１２】
2009222745.tif 000014
【図１３】
2009222745.tif 000015
【図１４】
2009222745.tif 000016
【図１５】
2009222745.tif 000017